(57)【特許請求の範囲】
【請求項１】
呼吸用気体供給装置の設備情報と運転条件情報と運転情報とを電子的に記録する記録手段と、
画像情報、文字情報、音声情報の内の少なくとも一つを含む情報を送信および受信でき、前記記録手段から情報を受信できる１以上の呼吸用気体供給装置支援技術者用通信手段Ａと、
画像情報、文字情報、音声情報の内の少なくとも一つを含む情報を送信および受信できる呼吸用気体供給装置利用者用通信手段Ｂと
を備え、前記通信手段Ａのうちの一つと前記通信手段Ｂとの間で所定の情報について交信を行うネットワークシステムであって、
前記通信手段Ｂが前記通信手段Ａのうちの一つに対し交信を求める信号を送信した際に相手側の有無を確認する手段を備え、応答が所定期間無い場合、前記通信手段Ｂに予め記憶された順序に従って前記通信手段Ａのうちの他の通信手段に順次交信を求める信号を送信する通信手段である、通信ネットワークシステム。
【請求項２】
前記通信手段Ａのうちの一つと通信手段Ｂとの間で交信される情報が次の情報と、
（１）  前記呼吸用気体供給装置の地理的位置、前記呼吸用気体供給装置の機種。
（２）  呼吸用気体供給装置利用者の個人的病歴。
呼吸用気体供給装置に関する次の内の少なくとも一つの情報とを含むことを特徴とする請求項１に記載の通信ネットワークシステム。
（３）  酸素濃縮手段内の圧力およびその設定値。
（４）  呼吸用気体の温度および湿度。
（５）  呼吸用気体の流量およびその設定値。
（６）  呼吸用気体中の酸素濃度およびその設定値。
【請求項３】
前記通信手段Ａおよび／または通信手段Ｂが、撮像手段を付設していることを特徴とする請求項１または２に記載の通信ネットワークシステム。
【請求項４】
前記通信手段Ａおよび／または通信手段Ｂが、音声情報および文字情報の入力手段を付設していることを特徴とする請求項１〜３のいずれかに記載の通信ネットワークシステム。
【請求項５】
前記通信手段Ａが車載されていることを特徴とする請求項１〜４のいずれかに記載の通信ネットワークシステム。
【請求項６】
前記通信手段Ａおよび前記通信手段ＢがＧＰＳ機能を搭載し、地図情報上に前記呼吸用気体供給装置の地理的位置および前記呼吸用気体供給装置の機種の情報を表示する表示手段を備えたことを特徴とする請求項１〜５のいずれかに記載の通信ネットワークシステム。
【発明の詳細な説明】
【０００１】
【発明の属する技術分野】
本発明は、呼吸器疾患患者等の呼吸用気体供給装置利用者のための情報交信方法、通信ネットワークシステム、コンピュータプログラムおよび記録媒体に関する。
【０００２】
なお、呼吸用気体供給装置は通常酸素を濃縮した気体を呼吸器疾患患者に供給する装置であるため、単に酸素濃縮器と呼称される場合もある。
【０００３】
【従来の技術】
従来、呼吸器疾患の患者に対して酸素ボンベから供給する酸素療法が行われており、最近では空気中の酸素を分離濃縮して酸素濃縮気体を得るための呼吸用気体供給装置が開発され、それを用いた酸素療法が次第に普及するようになって来ている。
【０００４】
かかる呼吸用気体供給装置としては、例えば窒素を選択的に吸着し得る吸着剤を酸素濃縮手段として用いた吸着型呼吸用気体供給装置や、酸素選択透過性膜を酸素濃縮手段として用いた膜型呼吸用気体供給装置がある。前者は主に酸素濃度が９０体積％程度の酸素濃度の気体を供給するのに適しており、後者は主に酸素濃度が４０体積％程度の酸素濃度の気体を供給するのに適しているものであったが、技術の進歩と共にその境界は曖昧になってきている。また、その他に固体電解質法による酸素濃縮装置も知られている。
【０００５】
なお、酸素療法が用いられる他の酸素供給方式として、液体酸素から適当に制御された速度で蒸発した酸素を患者に供給する方法も知られている。
【０００６】
かかる呼吸用気体供給装置は、病院において利用されるのみならず、在宅医療用に家庭においても利用される場合が次第に多くなってきている。なおこれらの呼吸用気体供給装置は、病院や家庭において個々に配置され、別々に運転状況の把握およびその管理がなされている。
【０００７】
このため、かかる呼吸用気体供給装置の技術的支援を行う者（以下、呼吸用気体供給装置技術支援者という）にとって、自己の支援すべき対象者や内容を明確に把握することが困難になり、必要な部品の調達、呼吸用気体供給装置利用者への必要なサービスの提供を適切なタイミングで行うのが困難になってくる事態が想定される。
【０００８】
また、呼吸用気体供給装置利用者の方から見れば、アドバイスを求めたいときに、十分な情報を呼吸用気体供給装置技術支援者と共有することが困難になってくる事態が想定される。
【０００９】
【発明が解決しようとする課題】
本発明は、このように個々に独立して配置され、運転の管理がなされている多数の呼吸用気体供給装置について、呼吸用気体供給装置利用者と呼吸用気体供給装置技術支援者とが確実、迅速に情報を共有するための方法やシステムを提供し、上記の問題を解決せんとするものである。
【００１０】
特に本願発明は、吸着型呼吸用気体供給装置や膜型呼吸用気体供給装置において、装置に関わる状況の把握を、呼吸用気体供給装置利用者と呼吸用気体供給装置技術支援者とが確実、迅速に共有するための方法やシステムを提供し、上記の問題を解決せんとするものである。
【００１１】
【課題を解決するための手段】
本発明者らは、各家庭等に分散して配置された個々の呼吸用気体供給装置に関わる状況の把握を、呼吸用気体供給装置利用者と呼吸用気体供給装置技術支援者とが確実、迅速に共有するための方法を提供すべく鋭意検討した結果、本願発明に想到した。
【００１２】
すなわち、本願発明の態様の一つは、画像情報、文字情報、音声情報の内の少なくとも一つを含む情報を送信および受信でき、呼吸用気体供給装置の設備情報と運転条件情報と運転情報とを電子的に記録する記録手段から情報を受信できる１以上の通信手段Ａのうちの一つを呼吸用気体供給装置支援技術者が使用し、画像情報、文字情報、音声情報の内の少なくとも一つを含む情報を送信および受信できる通信手段Ｂを呼吸用気体供給装置利用者が使用して、当該通信手段Ａのうちの一つと通信手段Ｂとの間で所定の情報について交信を行う通信方法であって、当該所定の情報が次の情報と、
（１）  当該呼吸用気体供給装置の地理的位置、当該呼吸用気体供給装置の機種。
（２）  呼吸用気体供給装置利用者の個人的病歴。
呼吸用気体供給装置に関する次の内の少なくとも一つの情報とを含む情報交信方法
（３）  酸素濃縮手段内の圧力および設定値。
（４）  呼吸用気体の温度および湿度。
（５）  呼吸用気体の流量および設定値。
（６）  呼吸用気体中の酸素濃度および設定値。
である。
【００１３】
なお、本願発明の他の態様としては、このような情報処理を可能とするための通信ネットワークシステム、コンピュータプログラムおよびこのようなコンピュータプログラムを記録したコンピュータ読みとり可能な記録媒体が挙げられる。
【００１４】
ここで、通信手段Ａと通信手段Ｂとは公知のどのような通信手段を使用しても良い。通信手段Ａと通信手段Ｂとを使って呼吸用気体供給装置技術支援者と呼吸用気体供給装置利用者とが交信を行うためのシステムとしては、公知のいかなるネットワークシステムも使用することができる。インターネット回線を利用することも可能である。
【００１５】
そして、このような送受信する機能は、通信手段Ａと通信手段Ｂとにコンピュータを付設することで可能とすることができる。
【００１６】
コンピュータを使用する場合等は、上記の交信方法を実行するためのコンピュータプログラムを作成すれば、汎用のパーソナルコンピュータ等を使用することも可能となる。そして、このようなプログラムを記録したコンピュータ読みとり可能な記録媒体を用いれば、呼吸用気体供給装置の新設等に容易に対応することができる。
【００１７】
通常、呼吸用気体供給装置は家庭等に固定して設置されるが、設備の更新、呼吸用気体供給装置の新規設置、使用中止、呼吸用気体供給装置利用者の所在地の変更等の要因により、呼吸用気体供給装置の設置場所や使用状況がかなり頻繁に変更され、また、呼吸用気体供給装置に関する上記諸情報の内容が非定常的に変化することが原因となって、呼吸用気体供給装置技術支援者が、自己の支援すべき対象者や内容を明確に把握することを困難にする大きな原因となり得ることが判明した。また、呼吸用気体供給装置利用者は呼吸用気体供給装置に関する技術に習熟しているわけではないので、電話等の文字情報だけでは、意思の疎通が充分図れないことも考えられる。
【００１８】
この意思の疎通を図るには、上記の情報が重要であることが判明した。
【００１９】
すなわち、本願発明に係る情報交信方法は先ず第一に、呼吸用気体供給装置の設備情報と運転条件情報と運転情報とを電子的に記録する記録手段を設け、呼吸用気体供給装置利用者と呼吸用気体供給装置技術支援者との間では、画像情報、文字情報、音声情報の内の少なくとも一つを含む情報を送信および受信できることを特徴としている。
【００２０】
ここで、呼吸用気体供給装置の設備情報としては、呼吸用気体供給装置の構造およびソフトウエアに関するどのような情報を含めることもできる。運転条件情報としては、呼吸用気体供給装置で使用される、圧力、温度、湿度、容積、濃度、運転時間等に関するあらゆる条件を含めることができる。また、運転情報としては、これらの運転条件に対応する、圧力、温度、湿度、容積、濃度、運転時間等の実際の値を含めることができる。
【００２１】
呼吸用気体供給装置の設備情報と運転条件情報と運転情報とを電子的に記録する記録手段としては、コンピュータを使用することができる。この記録手段は、呼吸用気体供給装置に付設されていてもよく、他の場所に集中的に情報を収集装置として設置しても良い。この情報は主として呼吸用気体供給装置技術支援者が支援活動に役立てることができる。
【００２２】
交信に画像情報、文字情報、音声情報の内の少なくとも一つを含む情報を使用するのは、上記のごとく、呼吸用気体供給装置技術支援者と、呼吸用気体供給装置に関する技術に習熟しているわけではない呼吸用気体供給装置利用者との間で、確実迅速な情報の交換を図るためである。
【００２３】
この場合、特に画像情報を交信するのが望ましい。そして、その用に供するため、通信手段Ａおよび／またはＢが撮像手段を付設していることが望ましい。撮像手段としては、ディジタルカメラ、ビデオテープレコーダ等どのような手段を使用することも可能である。
【００２４】
さらに、呼吸用気体供給装置利用者と呼吸用気体供給装置技術支援者との間の情報交換に有用な情報について検討した結果、当該呼吸用気体供給装置の地理的位置、当該呼吸用気体供給装置の機種、呼吸用気体供給装置利用者の個人的病歴が特に重要であることが判明した。
【００２５】
そして、これらに加えて、酸素濃縮手段内の圧力および設定値、呼吸用気体の温度および湿度、呼吸用気体の流量および設定値、呼吸用気体中の酸素濃度および設定値も交信される情報としては有用であることが判明した。
【００２６】
さらに、可能である場合には、呼吸用気体供給装置に関する異常警報、呼吸用気体供給装置の運転時間、呼吸気体供給装置がコンピュータを内蔵したものである場合の、過電流，コンピュータの作動異常および電源電圧の異常についての情報も有用である。
もちろん、これらの情報には、記録手段が提供する呼吸用気体供給装置の設備情報と運転条件情報と運転情報とを加えても良い。
【００２７】
すなわち、呼吸用気体供給装置技術支援者にとって、呼吸用気体供給装置の設備情報と運転条件情報と運転情報とに関する情報を受信できることは、技術的支援をなすに当たって非常に有用であり、呼吸用気体供給装置利用者にとっては必ずしも必要ではないにしても、時に必要な事態が考えられる。なお、ここで、呼吸用気体供給装置の設備情報と運転条件情報と運転情報とに関する情報は、現在の情報のみならず、過去の情報も含むことが望ましい。
【００２８】
上記の情報の内、呼吸用気体供給装置の地理的位置が重要であるのは、予想に反し、呼吸用気体供給装置の、新規設置、使用中止、呼吸用気体供給装置利用者の所在地の変更等の要因に対応して、その最新情報を迅速に把握することが、呼吸用気体供給装置利用者を支援するのに重要であるからである。
【００２９】
呼吸用気体供給装置の機種の情報が重要であるのは、急速に変化する技術革新の下、すべての呼吸用気体供給装置技術支援者がすべての呼吸用気体供給装置の機種に熟知していないケースが考えられるからである。
【００３０】
呼吸用気体供給装置利用者の個人的病歴を知ることが呼吸用気体供給装置技術支援者と呼吸用気体供給装置利用者との間の意思の疎通に役立つことはいうまでもない。
【００３１】
また、その他の情報については次のような事情を例示することができる。
【００３２】
呼吸用気体供給装置は、通常、酸素濃縮手段に圧縮空気を送り込むためのコンプレッサー、空気の圧縮に伴って発生する熱を除去するための冷却ファン、吸着型や膜型の酸素濃縮手段、酸素濃縮手段内の圧力を検出する手段、呼吸用気体供給装置利用者に供給する呼吸用気体の流量を測定する手段、呼吸用気体供給装置利用者に供給する呼吸用気体中の酸素濃度を測定する手段、酸素濃縮手段内の圧力、呼吸用気体の流量、呼吸用気体中の酸素濃度が所定範囲を外れた場合に、異常と判断し、当該異常を検出した場合の音声、ランプ等による警報手段、呼吸用気体供給装置の運転条件を制御し、上記の異常を検出し警報する等の目的に使用されるコンピュータシステム等を有している。
【００３３】
酸素濃縮手段内の圧力が所定範囲を外れるケースの内、酸素濃縮手段内の圧力が下限を下回るケースには、たとえば、コンプレッサー自体に何かの異常が発生した場合が該当し、上限を上回るケースには、たとえば、酸素濃縮手段中の吸着剤に水分が過剰吸着した場合が該当する。
【００３４】
また、呼吸用気体の流量が所定範囲を外れるケースとしては、医師の指示により設定された流量に対し、その許容下限流量を下回るケースが考えられる。具体的には、２Ｌ／分の設定値に対し、５０％以上を許容範囲とすれば、５０％未満で異常警報を発することになる。
【００３５】
呼吸用気体中の酸素濃度が所定範囲を外れるケースとしては、たとえば９０％以上の酸素濃度を設定値とし、７５％を下限とすれば、７５％未満で異常警報を発することになる。
【００３６】
なお、酸素濃縮手段内の温度および湿度は上記のような異常を検出する補助的手段となり得ることが見出されている。
【００３７】
このような異常の状態について呼吸用気体供給装置技術支援者と呼吸用気体供給装置利用者との間の理解を深めるには上記の情報が役立つのである。
【００３８】
なお、これらの情報は、呼吸用気体供給装置技術支援者と呼吸用気体供給装置利用者とが適宜行うことになるが、秘密が外部に漏れないように万全の対策を講じることも重要である。このため、情報の送信に当たっては暗号化処理を行い、受信に当たって暗号解読処理を行うことが好ましい。
【００３９】
さらに、本願発明においては、上記情報の内容の一部または全部を他の表示装置に出力することができることも好ましい。
【００４０】
すなわち、上記情報は呼吸用気体供給装置技術支援者や呼吸用気体供給装置利用者が利用できるようにすることを第一の目的としているが、その他に、呼吸用気体供給装置の運転状況の集中的把握とその集中的管理とに携わる者（呼吸用気体供給装置管理者）が利用できるようにすることが望ましい場合がある。
【００４１】
ただし、上記のような情報は特定の者のみがアクセスを許されるべきものであり、このような情報の出力先は厳密に管理することが必要となる。また、情報内容の一部を制限することも有用である。
【００４２】
なお、情報内容の出力に際して、送受信が必要な場合には、送信内容の暗号化を図ることも、機密保持の上で望ましい。
【００４３】
送信受信する情報には、さらに、上記呼吸用気体供給装置の利用開始時期、過去における呼吸用気体供給装置の設備情報、運転条件情報、運転情報を含めることも、本願発明の好ましい態様の一つである。呼吸用気体供給装置利用者と呼吸用気体供給装置技術支援者とが過去の情報を必要とすることがしばしばあるからである。
【００４４】
さらに、最初に通信手段Ｂが当該通信手段Ａのうちの一つに対し交信を求める信号を送信した際に応答が所定期間無い場合には、当該通信手段Ａのうちの他の通信手段に順次交信を求める信号が送信されることが重要である。呼吸用気体供給装置利用者は健康的に虚弱であることが多く、精神的にも不安定であることが多いので、一刻も早く呼吸用気体供給装置技術支援者との接触を可能とすることがとりわけ重要であるからである。
【００４５】
【発明の実施の形態】
以下において、図１〜４を用いて、本願発明の実施の形態について説明する。なお、下記は本願発明の実施の形態の一部を示すためのものであり、本願発明は、これらの記載によって制限を受けるものでなく、本願発明の趣旨に合致する限り、その他の形態をも含むものであることはいうまでもない。
【００４６】
図１は、本願発明に係る呼吸用気体供給装置をモデル的に表した図である。
【００４７】
図１において、呼吸用気体供給装置１１にある、窒素を選択的に吸着し得る吸着剤１２を充填した１基または２基以上の吸着筒１３は、空気から酸素濃度の高められた酸素濃縮気体を分離するための酸素濃縮手段の主要部分である。
【００４８】
コンプレッサ１４から、流路切替弁１５を介してこの吸着筒１３に圧縮空気が供給される。
【００４９】
吸着筒１３で吸着されなかった酸素を含むガス、すなわち酸素濃縮空気、は、サージタンク１６に貯留され、流量設定器１７により酸素供給量を一定に調節した後、加湿器１８で加湿され、鼻カニューラ１９を介して呼吸用気体供給装置利用者に供給される。
【００５０】
さらに必要に応じて、コンプレッサ等のポンプ手段を冷却するための冷却風を生じさせるための冷却ファン２０が具備される。
【００５１】
また、呼吸用気体供給装置１１では、酸素濃縮手段内の圧力はＸの位置で、呼吸用気体の流量、呼吸用気体中の酸素濃度、呼吸用気体の温度および湿度はＹの位置で検出することができる。
【００５２】
呼吸用気体を呼吸用気体供給装置利用者の利用に供する供給手段としては、導管手段，鼻カニューラ，マスク等を具備したものがあげられる。
【００５３】
図２は、本願発明に係る情報交信方法を説明するモデル図である。
【００５４】
図２において、呼吸用気体供給装置技術支援者２０４の元にある通信手段が送信する情報は、呼吸用気体供給装置２０１に付設された通信手段が受信し、そのディスプレー２０１ａに表示する。
【００５５】
また、呼吸用気体供給装置２０１に付設された通信手段が送信する情報は、呼吸用気体供給装置技術支援者２０４の元にある通信手段が受信し、そのディスプレー２０４ａに表示する。なお、呼吸用気体供給装置技術支援者２０４を自動車の形で表現したのは、呼吸用気体供給装置技術支援者が自動車を用いて行動していることが多いことによる。従って、呼吸用気体供給装置技術支援者２０４の元にある通信手段は実際には、自動車に付設する形式が好ましい場合がある。
【００５６】
また、呼吸用気体供給装置技術支援者は、呼吸用気体供給装置の設備情報と運転条件情報と運転情報とを電子的に記録する記録手段２０２から情報を受信できる。
【００５７】
情報の表示は、ディスプレー２０１ａ、２０４ａでなされるが、呼吸用気体供給装置管理者が必要とするときは、そのディスプレー２０３に表示させるのも選択肢の一つである。
【００５８】
なお、必要ならば、さらに加えて、図示するように、呼吸用気体供給装置管理者と呼吸用気体供給装置利用者との間における情報交換を付け加えることもできる。
【００５９】
この送信される情報には当該呼吸用気体供給装置利用者および／または呼吸用気体供給装置技術支援者を識別するための情報を含めることが望ましい。
【００６０】
これらの表示は、呼吸用気体供給装置利用者や呼吸用気体供給装置技術支援者が見て、相互の意思疎通の目的に役立てる。
【００６１】
なお、図２には一つの呼吸用気体供給装置のみを示してあるが、これは簡略化のためである。通常は一人の呼吸用気体供給装置技術支援者が多くの呼吸用気体供給装置の技術支援をする。
【００６２】
また、図２には二人の呼吸用気体供給装置技術支援者のみを示してあるが、これも簡略化のためである。
【００６３】
複数の呼吸用気体供給装置技術支援者がいる場合にも、呼吸用気体供給装置利用者に対して支援をする者はできるだけ固定されるが、その呼吸用気体供給装置技術支援者が何らかの理由により支援業務を行えない場合に、それを知らないで交信を求める信号を送信した際に応答が所定期間無い場合には、他の通信手段に順次交信を求める信号が送信されるようになっていれば、他の呼吸用気体供給装置技術支援者の支援を迅速に受けることができるので有用である。
【００６４】
なお、本願明細書において、付設と言うときは必ずしも物理的に接触した状態を意味するものではない場合も含むことはいうまでもない。
【００６５】
図３は、本発明の情報交信方法によって交換された情報を表示する視覚的表示の１例である。なお、本願発明においては、視覚的表示以外の表示、たとえば音声表示を利用することもできる。
【００６６】
図３では、地図上のＺ点として、呼吸用気体供給装置の地理的位置と共に、呼吸用気体供給装置利用者の氏名、病歴、呼吸用気体供給装置の機種、気体流量に関する情報が表示されている。
【００６７】
この地理的表示には地理的位置に関する情報にはＧＰＳ（衛星航法システム）その他これに類する情報を利用することができる。具体的には、たとえば、呼吸用気体供給装置利用者がこの地理的表示に自分のいる場所をＺ点としてマウスでポイントすることにより、呼吸用気体供給装置技術支援者の元における表示にそのＺ点が示されるようになっていればよい。
【００６８】
図３の右肩部分には、呼吸用気体供給装置利用者が使用している呼吸用気体供給装置が示されている。この像は呼吸用気体供給装置利用者が撮像したものである。このようにして、呼吸用気体供給装置にトラブルが発生した場合には、この像を呼吸用気体供給装置技術支援者と呼吸用気体供給装置利用者とが見つつ情報の交換をすることができる。
【００６９】
図４は、本発明の情報交換方法を説明するフローチャートである。図は呼吸用気体供給装置利用者が呼吸用気体供給装置技術支援者に送信を開始するケースについて説明してある。
【００７０】
図４において、呼吸用気体供給装置利用者が呼吸用気体供給装置利用者の元にある通信手段（通信手段Ｂ）を用いて呼吸用気体供給装置技術支援者に情報を送信すると（Ｓ１）、情報送信後の所定時間内に、呼吸用気体供給装置技術支援者からの応答があったがどうかを通信手段Ｂが判断し（Ｓ２）、応答があった場合は何もせずに終了する。なお、この応答は、呼吸用気体供給装置技術支援者が自分の手元にある通信手段（通信手段Ａの一つ）に入力することで行うことができる。
【００７１】
応答がなかった場合、通信手段Ｂは次の呼吸用気体供給装置技術支援者に情報を送信する（Ｓ３）。この呼吸用気体供給装置技術支援者に送信する順序は予め定めて通信手段Ｂに記憶させておくことができる。
【００７２】
そして、その情報送信後の所定時間内に、呼吸用気体供給装置技術支援者からの応答があったがどうかを通信手段Ｂが判断し（Ｓ４）、応答があった場合は何もせずに終了する。
【００７３】
応答がなかった場合、通信手段Ｂは次の呼吸用気体供給装置技術支援者に情報を送信する（Ｓ３）。
【００７４】
このようにして、応答のできる呼吸用気体供給装置技術支援者がいるまで、送信が繰り返される。
【００７５】
以上、本願発明の内容を纏めると下記の付記のようになる。
【００７６】
（付記１）  画像情報、文字情報、音声情報の内の少なくとも一つを含む情報を送信および受信でき、呼吸用気体供給装置の設備情報と運転条件情報と運転情報とを電子的に記録する記録手段から情報を受信できる１以上の通信手段Ａのうちの一つを呼吸用気体供給装置支援技術者が使用し、
画像情報、文字情報、音声情報の内の少なくとも一つを含む情報を送信および受信できる通信手段Ｂを呼吸用気体供給装置利用者が使用して、
１以上の通信手段Ａのうちの一つと通信手段Ｂとの間で所定の情報について交信を行う通信方法であって、当該所定の情報が次の情報と、
（１）  当該呼吸用気体供給装置の地理的位置、当該呼吸用気体供給装置の機種。
（２）  呼吸用気体供給装置利用者の個人的病歴。
呼吸用気体供給装置に関する次の内の少なくとも一つの情報とを含む情報交信方法。
（３）  酸素濃縮手段内の圧力および設定値。
（４）  呼吸用気体の温度および湿度。
（５）  呼吸用気体の流量および設定値。
（６）  呼吸用気体中の酸素濃度および設定値。
【００７７】
（付記２）  上記通信手段Ａおよび／または通信手段Ｂが、撮像手段を付設することを特徴とする付記１に記載の情報交信方法。
【００７８】
（付記３）  上記通信手段Ａおよび／または通信手段Ｂが、音声情報および文字情報の入力手段を付設することを特徴とする付記１または２に記載の情報交信方法。
【００７９】
（付記４）  最初に上記通信手段Ｂが上記通信手段Ａのうちの一つに対し交信を求める信号を送信した際に応答が所定期間無い場合には、当該通信手段Ａのうちの他の通信手段に順次交信を求める信号が送信されることを特徴とする付記１〜３のいずれかに記載の情報交信方法。
【００８０】
（付記５）  呼吸用気体供給装置の設備情報と運転条件情報と運転情報とを電子的に記録する記録手段と、
画像情報、文字情報、音声情報の内の少なくとも一つを含む情報を送信および受信でき、当該記録手段から情報を受信できる１以上の通信手段Ａと、
画像情報、文字情報、音声情報の内の少なくとも一つを含む情報を送信および受信できる通信手段Ｂと
を含んでなる通信ネットワークシステム。
【００８１】
（付記６）  上記通信手段Ａのうちの一つと通信手段Ｂとの間で交信される情報が次の情報と、
（１）  当該呼吸用気体供給装置の地理的位置、当該呼吸用気体供給装置の機種。
（２）  呼吸用気体供給装置利用者の個人的病歴。
呼吸用気体供給装置に関する次の内の少なくとも一つの情報とを含むことを特徴とする付記５に記載の通信ネットワークシステム。
（３）  酸素濃縮手段内の圧力および設定値。
（４）  呼吸用気体の温度および湿度。
（５）  呼吸用気体の流量および設定値。
（６）  呼吸用気体中の酸素濃度および設定値。
【００８２】
（付記７）  上記通信手段Ａおよび／または通信手段Ｂが、撮像手段を付設していることを特徴とする付記５または６に記載の通信ネットワークシステム。
【００８３】
（付記８）  上記通信手段Ａおよび／または通信手段Ｂが、音声情報および文字情報の入力手段を付設していることを特徴とする付記５〜７のいずれかに記載の通信ネットワークシステム。
【００８４】
（付記９）  電子的記録手段が、呼吸用気体供給装置の設備情報と運転条件情報と運転情報とを電子的に記録する段階と、
１以上の通信手段Ａが、当該電子的記録手段から、呼吸用気体供給装置の設備情報と運転条件情報と運転情報とのいずれか一つを受信する段階と、
当該通信手段Ａが、画像情報、文字情報、音声情報の内の少なくとも一つを含む情報を通信手段Ｂに送信および通信手段Ｂから受信する段階と、
当該通信手段Ｂが、画像情報、文字情報、音声情報の内の少なくとも一つを含む情報を通信手段Ａに送信および通信手段Ａから受信する段階と
を通信ネットワークシステム上で実行させるためのコンピュータプログラム。
【００８５】
（付記１０）  最初に上記通信手段Ｂが上記通信手段Ａのうちの一つに対し交信を求める信号を送信した際に応答が所定期間無い場合には、上記通信手段Ａのうちの他の通信手段に順次交信を求める信号が送信される段階を含むことを特徴とする付記９に記載のコンピュータプログラム。
【００８６】
（付記１１）  付記１０または１１に係るコンピュータプログラムを記録したコンピュータ読みとり可能な記録媒体。
【００８７】
【発明の効果】
本発明の情報交信方法、システム、コンピュータプログラムおよび記録媒体によれば、個々に独立して配置され、運転の管理がなされている多数の呼吸用気体供給装置について、呼吸用気体供給装置利用者と呼吸用気体供給装置技術支援者との間で、確実に、迅速に、十分に意志の疎通を図るための方法や装置を提供できる。
【図面の簡単な説明】
【図１】本願発明に係る呼吸用気体供給装置をモデル的に表した図である。
【図２】本願発明に係る情報交信方法を説明するモデル図である。
【図３】本発明の情報交信方法による視覚的表示の１例である。
【図４】本発明の情報交信方法を説明するフローチャートである。
【符号の説明】
１１      呼吸用気体供給装置
１２      吸着剤
１３      吸着筒
１４      コンプレッサ
１５      流路切替弁
１６      サージタンク
１７      流量設定器
１８      加湿器
１９      鼻カニューラ
２０      冷却ファン
２０１    呼吸用気体供給装置
２０１ａ  ディスプレー
２０２    記録手段
２０３    ディスプレー
２０４    呼吸用気体供給装置技術支援者
２０４ａ  ディスプレー
【図１】
0004097408.tif 000002
【図２】
0004097408.tif 000003
【図３】
0004097408.tif 000004
【図４】
0004097408.tif 000005